(57)【要約】【課題】歯科治療において、治療部位に温風を吹き付けて該治療部位の水分を短時間で蒸発させ、該治療部位を短時間で乾燥させる。【解決手段】インスツルメント８はインスツルメントホース９を通してユニット本体（ワークテーブル）２内に設けられている加熱手段１０と連通している。ユニット本体側にエアーを加熱するエアー加熱手段を有しているので、大型の加熱手段を用いることができ、該ユニット本体において加熱されたエアーを前記インスツルメントホース９を通して前記インスツルメント８より噴射する。９ａはインスツルメントホース９内に設けられたエアーチューブ、９ａ1は該チューブ９ａ内に設けられた電熱線で、インスツルメントホース９内のエアーを予熱しておくことで、インスツルメント８の駆動と略同時に温風を噴射することができ、より効率的に歯科治療作業を行うことができる。【選択図】図１
2007130138.tif 000002
【特許請求の範囲】
【請求項１】
ユニット本体と、該ユニット本体に連結され、該ユニット本体からのエアーを伝送するインスツルメントホースと、該インスツルメントホースに連結され前記ユニット本体からのエアーを放出するノズルを有する歯科治療用インスツルメントとから成り、前記ユニット本体にエアーを加熱するエアー加熱手段を有し、該ユニット本体において加熱されたエアーを前記インスツルメントホースを通して前記インスツルメントのノズルより放出するようにしたことを特徴とする歯科治療ユニット。
【請求項２】
前記エアー加熱手段は、立ち上り時間の早い大型の加熱手段であることを特徴とする請求項１に記載の歯科治療ユニット。
【請求項３】
前記エアー加熱手段は、ハロゲンランプヒータ、或いは、カーボンファイバヒータであることを特徴とする請求項２に記載の歯科治療ユニット。
【請求項４】
前記ユニット本体にエアーを予熱する予熱手段を有し、前記ノズルより放出するエアーを予め温めておくことを特徴とする請求項１乃至３に記載の歯科治療ユニット。
【請求項５】
前記歯科治療用インスツルメントはシリンジであることを特徴とする請求項１乃至４のいずれかに記載の歯科治療ユニット。
【請求項６】
前記インスツルメントホース内に加熱手段を有し、該加熱手段によって前記インスツルメントホース内の空気を予熱することを特徴とする請求項１に記載の歯科治療ユニット。
【請求項７】
前記加熱手段は前記インスツルメントホースの略全長にわたって配設されていることを特徴とする請求項６に記載の歯科治療ユニット。
【請求項８】
前記加熱手段は電熱線であることを特徴とする請求項７に記載の歯科治療ユニット。
【請求項９】
前記インスツルメントホース内にエアーを通すチューブを有し、該チューブ内に前記加熱手段が配設されていることを特徴とする歯科治療ユニット。
【請求項１０】
前記加熱手段は電熱線であり、該電熱線が前記チューブの全長にわたって配設されていることを特徴とする請求項９に記載の歯科治療ユニット。
【発明の詳細な説明】
【技術分野】
【０００１】
本発明は、歯科治療ユニット、より詳細には、歯科治療において、治療部位に温風を吹き付けて該治療部位の水分を短時間で蒸発させ、該治療部位を短時間で乾燥させることのできる歯科治療ユニットに関する。
【背景技術】
【０００２】
図２は、本発明が適用されるインスツルメントを有する歯科治療ユニットの一例を示す全体構成図で、歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において術者が使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上述のように、歯科治療に当り、術者は、インスツルメントホルダより施術に必要なインスツルメント（ハンドピース）を取り出して歯科治療を行うが、ハンドピースの中には、該ハンドピースのノズルからエアーを噴射して治療部位を乾燥させて、患部の水分をとって歯科治療をしやすくしたものがある。
【０００４】
しかし、冷たいエアーを患部（例えば、歯牙）に吹きつけると、知覚過敏の患者等においては、苦痛を感じる。そのため、従来は、ハンドピース内に加熱手段を有し、この加熱手段にてエアーを噴射する前に加熱し、温かいエアーを噴射するようにしている。
【発明の開示】
【発明が解決しようとする課題】
【０００５】
上述のように、歯科治療用ハンドピースにおいて、特に、シリンジは、温められたエアーを噴射して治療部位を乾燥させる機能を有しているが、噴射するエアーを温めるために、シリンジ内に加熱手段を有し、このシリンジ内の加熱手段により、ユニット本体から送られてくるエアーを加熱するようにしている。しかし、シリンジ内に配設される加熱手段は、小型のものでなければならず、そのため、従来は、セラミックヒータ等の小型の加熱手段をシリンジ（ハンドピース）内に設けていた。しかし、小型の加熱手段は、立ち上り時間が長く、従って、温風になるまでの時間が長く、瞬時に温風を放出することができなかった。そのため、温風になるまで治療を待たなければならず、作業効率が悪かった。
【０００６】
本発明は、上述のごとき不具合を解決するためになされたもので、具体的には、エアー加熱手段をユニット本体側に設けるようにして、大型のエアー加熱手段の使用を可能にし、例えば、サイズが大きすぎてハンドピース内に配設することのできないハロゲンランプヒータやカーボンファイバヒータの使用を可能にし、もって、短時間で、温風を放出可能にした歯科治療ユニットを提供するようにしたものである。
【課題を解決するための手段】
【０００７】
請求項１の発明は、ユニット本体と、該ユニット本体に連結され、該ユニット本体からのエアーを伝送するインスツルメントホースと、該インスツルメントホースに連結され前記ユニット本体からのエアーを放出するノズルを有する歯科治療用インスツルメントとから成り、前記ユニット本体にエアーを加熱するエアー加熱手段を有し、該ユニット本体において加熱されたエアーを前記インスツルメントホースを通して前記インスツルメントのノズルより放出するようにしたことを特徴としたものである。
【０００８】
請求項２の発明は、請求項１の発明において、前記エアー加熱手段は、立ち上り時間の早い大型の加熱手段であることを特徴としたものである。
【０００９】
請求項３の発明は、請求項２の発明において、前記エアー加熱手段は、ハロゲンランプヒータ、或いは、カーボンファイバヒータであることを特徴としたものである。
【００１０】
請求項４の発明は、請求項１乃至３のいずれかの発明において、前記ユニット本体にエアーを予熱する予熱手段を有し、前記ノズルより放出するエアーを予め温めておくことを特徴としたものである。
【００１１】
請求項５の発明は、請求項１乃至４のいずれかの発明において、前記歯科治療用インスツルメントはシリンジであることを特徴としたものである。
【００１２】
請求項６の発明は、請求項１の発明において、前記インスツルメントホース内に加熱手段を有し、該加熱手段によって前記インスツルメントホース内の空気を予熱することを特徴としたものである。
【００１３】
請求項７の発明は、請求項６の発明において、前記加熱手段は前記インスツルメントホースの略全長にわたって配設されていることを特徴としたものである。
【００１４】
請求項８の発明は、請求項７の発明において、前記加熱手段は電熱線であることを特徴としたものである。
【００１５】
請求項９の発明は、前記インスツルメントホース内にエアーを通すチューブを有し、該チューブ内に前記加熱手段が配設されていることを特徴としたものである。
【００１６】
請求項１０の発明は、請求項９の発明において、前記加熱手段は電熱線であり、該電熱線が前記チューブの全長にわたって配設されていることを特徴としたものである。
【発明の効果】
【００１７】
本発明によると、立ち上り時間の早い大型の加熱手段を用いることができるので、短時間で温風を作ることができ、歯科治療の作業を効率よく行うことができる。具体的には、加熱手段近傍のエアーは短時間（瞬時）に加熱されるので、加熱手段によって加熱することのできないエアー、換言すれば、加熱手段からハンドピースのエアー出口までのエアー（インスツルメントホース内のエアー）が放出されるまでの時間を待てば、温風を放出することができ、効果的に歯科治療作業を行うことができる。たとえ、間違えて、多少早めにエアーを放射したとしても、その量はわずかであり、患者に苦痛を与えるようなことはない。
【００１８】
更には、インスツルメントホース内に加熱手段を設けておき、この加熱手段によってインスツルメントホース内のエアーを予熱しておくことにより、最初から（インスツルメントホース内のエアーが噴射されるまでの時間を待つことなく）温風を噴射することができ、歯科治療作業を更に効果的に行うことができる。
【発明を実施するための最良の形態】
【００１９】
図１は、本発明による歯科治療ユニットの一実施例を説明するための要部概略構成図で、図中、２はユニット本体側に設けられたワークテーブル、８はエアー放出ノズルを有するハンドピース（例えば、シリンジ）、９はユニット本体２側とハンドピース８を連結し、ユニット本体２側からのエアーをハンドピース８に伝送するための機能を有するインスツルメントホースで、本発明においては、ユニット本体側（例えば、ユニット側のワークテーブル）に、大型の加熱手段１０を有し、この大型の加熱手段１０によって、ハンドピース（シリンジ）８から放出されるエアーを短時間で加熱するようにしている。
【００２０】
加熱手段１０としては、サイズ的に、ハンドピース８内に配設するには不可能な、例えば、ハロゲンランプヒータ、カーボンファイバヒータの大型ヒータを用い、これにより、短時間で温風を作るようにしている。なお、ユニット本体２側には、操作パネルを有し、この操作パネル（タッチパネル）で、放出されるエアーの温度を調整可能にしている。
また、ユニット本体（ワークテーブル）２内には、予熱手段が設けられており、放出するエアーをエアー放出前から温めておき、これによって、更に、短時間で温風を放出することができ、歯科治療の作業効率を更に上げることができるようになっている。
【００２１】
しかし、上述のように、ユニット本体側に加熱手段を設けた場合、該加熱手段によっては、インスツルメントホース９内のエアーを温めることはできず、そのため、少なくとも、インスツルメントホース９内のエアーが噴出されるまでは、エアーを治療部位に噴射することはできず、その間の時間が無駄になり、作業効率が悪い。
【００２２】
このような不具合を防止するためには、インスツルメントホース９内に設けられているエアー供給チューブ内のエアーを加熱する手段を設けておき、該加熱手段によってインスツルメントホース９内のエアーを予め温めておけばよい。この加熱手段は、エアー供給チューブ内のエアーを加熱できるものならば、エアー供給チューブ内又はチューブ外のいずれでもよく、その構成も、エアー供給チューブに沿って飛び飛びに複数箇所で加熱するように構成したものでよいが、効率的にかつ均一温度に加熱するためには、図１に拡大断面図で示すように、インスツルメントホース９内に設けられたエアー供給チューブ９ａ内に、該エアー供給チューブ９ａの略全長にわたって加熱手段、より好ましくは、電熱線９ａ1を設けるようにするとよい。
【図面の簡単な説明】
【００２３】
【図１】本発明による歯科治療ユニットの一例を説明するための要部概略構成図である。
【図２】本発明が適用される歯科治療ユニットの一例としての従来の歯科治療ユニットを示す要部概略構成図である。
【符号の説明】
【００２４】
１…治療椅子、２…歯科治療ユニット本体（ワークテーブル）、３…スピットン、４…無影灯、５…インスツルメントホルダ、６…フットスイッチ、７…アシスタントインスツルメントホルダ、８…ハンドピース（シリンジ）、９…インスツルメントホース、９ａ…エアー供給チューブ、９ａ1…電熱線、１０…エアー加熱手段。
【図１】
2007130138.tif 000003
【図２】
2007130138.tif 000004